(57)【要約】      （修正有）【課題】安定して設置できる上、哺乳瓶を確実に保持し、所望の位置に確実に配置することのできる哺乳瓶保持装置を提供すること。【解決手段】左右一対の支持脚２ａ，２ｂと、これらの支持脚の間に架設される架設部材４と、架設部材のほぼ中央部に取り付けられる哺乳瓶ホルダ５ａと、哺乳瓶ホルダの高さを調整する高さ調整手段２４と、哺乳瓶ホルダの方向を調整する方向調整手段３ａ，３ｂとが備えられ、ホルダー内部を視認可能な窓部が設けられているていることを特徴とする哺乳瓶保持装置。【選択図】図１
2006271776.tif 000002
【特許請求の範囲】
【請求項１】
左右一対の支持脚と、これらの支持脚の間に架設される架設部材と、架設部材のほぼ中央部に取り付けられる哺乳瓶ホルダと、哺乳瓶ホルダの高さを調整する高さ調整手段と、哺乳瓶ホルダの方向を調整する方向調整手段とが備えられていることを特徴とする哺乳瓶保持装置。
【請求項２】
哺乳瓶ホルダが、略筒状に形成されており、その内部には弾性材料で構成された哺乳瓶係止部が設けられていることを特徴とする請求項１記載の哺乳瓶保持装置。
【請求項３】
哺乳瓶ホルダにはホルダ内部を視認可能な窓部が設けられていることを特徴とする請求項１または２記載の哺乳瓶保持装置。
【発明の詳細な説明】
【技術分野】
【０００１】
本発明は、乳児にミルクを授乳する際に、乳児がミルクを飲みやすい位置に哺乳瓶を保持するための哺乳瓶保持装置に関するものである。
【背景技術】
【０００２】
従来、この種の哺乳瓶保持装置としては、基台に連結される連結アームの先端部分に哺乳瓶が保持されるものが開示されている（例えば、特許文献１参照）。この哺乳瓶保持装置は、連結アームが、第１連結軸と第２連結軸とで構成されており、第２連結軸が第１連結軸に継手を介して回動可能に連結されているとともに、哺乳瓶保持具が、第２連結軸の先端部に継手を介して回動可能および軸方向に移動可能に連結されている。
【特許文献１】特開平６−１８９８４１号公報
【発明の開示】
【発明が解決しようとする課題】
【０００３】
しかしながら、上記の哺乳瓶保持装置は、基台から長く延びる連結アームの先端部分に設けられる哺乳瓶保持具にミルクを入れた重量のある哺乳瓶が保持される構造であるので、重さの均衡が図りにくくバランスを崩して装置全体が転倒しやすいという不具合がある。
また、哺乳瓶保持具は、内径が哺乳瓶の途中の外径寸法よりも小さな円形のリングに形成されていて、哺乳瓶の飲み口を下方に向けてリング内に落とし込むことによって哺乳瓶を保持するものであるので、哺乳瓶との接触面積が小さく不安定な上、哺乳瓶の形状によっては確実に保持できないという不具合がある。
本発明は、上記問題点に鑑みてなされたものであって、安定して設置できる上、哺乳瓶を確実に保持し、所望の位置に確実に配置することのできる哺乳瓶保持装置を提供することにある。
【課題を解決するための手段】
【０００４】
本発明にかかる哺乳瓶保持装置は、左右一対の支持脚と、これらの支持脚の間に架設される架設部材と、架設部材のほぼ中央部に取り付けられる哺乳瓶ホルダと、哺乳瓶ホルダの高さを調整する高さ調整手段と、哺乳瓶ホルダの方向を調整する方向調整手段とが備えられていることを特徴とするものである。
また、哺乳瓶ホルダが、略筒状に形成されており、その内部には弾性材料で構成された哺乳瓶係止部が設けられていてもよい。
さらに、哺乳瓶ホルダにはホルダ内部を視認可能な窓部が設けられていてもよい。
【発明の効果】
【０００５】
本発明の哺乳瓶保持装置によれば、哺乳瓶ホルダが取り付けられた架設部材の両端を左右一対の支持脚で支持する構成であるので、哺乳瓶ホルダが取り付けられた架設部材が、左右一対の支持脚によってバランスよく支持され、装置を安定して設置できる。また、左右一対の支持脚を仰向けに寝かせた乳児の身体の両側に配置すると、架設部材のほぼ中央部に取り付けられた哺乳瓶ホルダが、乳児の正面に配置され、乳児の口元に正面から乳首を含ませることができる。したがって、乳児は自然な体勢でお乳を飲むことができる。また、哺乳瓶ホルダの高さを調整する高さ調整手段と、哺乳瓶ホルダの方向を調整する方向調整手段とが備えられているので、哺乳瓶ホルダの床面からの高さと向きとを調整することによって、哺乳瓶ホルダに保持された哺乳瓶の床面からの高さと向きとを適宜調整することができる。
【０００６】
また、哺乳瓶ホルダが、略筒状に形成されており、その内部には弾性材料で構成された哺乳瓶係止部が設けられているので、哺乳瓶ホルダ内に哺乳瓶を挿入すると、哺乳瓶係止部が弾性変形して、哺乳瓶ホルダ内の哺乳瓶の外周面に圧接し、哺乳瓶を哺乳瓶ホルダ内に確実に係止することができる。
【０００７】
また、哺乳瓶ホルダにホルダ内部を視認可能な窓部が設けられているものでは、哺乳瓶ホルダに哺乳瓶を保持させたまま、哺乳瓶内のミルクの量を一目で確認できるので、乳児の飲み具合や、飲み終えたかどうかの確認を容易にできる。
【発明を実施するための最良の形態】
【０００８】
以下、本発明にかかる哺乳瓶保持装置の一実施形態について詳細に説明する。
【０００９】
本実施形態の哺乳瓶保持装置１は、図１に示すように、左右一対の支持脚２ａ，２ｂと、この支持脚２ａ，２ｂの間に取り付けボルト３ａ，３ｂを介して架設される架設部材４と、架設部材４の長さ方向略中央部に設けられる略筒状の哺乳瓶ホルダ５ａとで構成されている。
【００１０】
支持脚２ａ，２ｂは、木製で、図１，図２に示すように、幅約４５ｍｍ、長さ約３１０ｍｍ、厚さ約１５ｍｍの細長い板状の基部２１と、基部２１の長さ方向中央部から基部２１に対して鉛直上向きに立ち上がる幅約３５ｍｍ、長さ約５００ｍｍ、厚さ約１５ｍｍの同じく細長い板状の脚部２２とで構成されており、脚部２２は、基部２１の上面に固定されている。なお、脚部２２の基端部には、一対の添え板２３が接着されている。また、脚部２２には、長さ方向に所定間隔あけて、取り付けボルト３ａ，３ｂを遊挿可能な複数の取り付け孔２４，２４，２４・・が穿設されている。
【００１１】
取り付けボルト３ａ，３ｂは、図１，図３に示すように、外径約３０ｍｍのつまみ部３１と、つまみ部３１の裏面から突出する雄ネジ部３２とで構成されている。取り付けボルト３ａ，３ｂは、支持脚２ａ，２ｂの取り付け孔２４に遊挿され、架設部材４に螺着されている。
【００１２】
架設部材４は、木製で、図１，図３に示すように、長さ約４３０ｍｍで約３０ｍｍ角の四角柱状に形成されている。そして、架設部材４の長さ方向両端部には、内径約２２ｍｍ、深さ約２ｍｍの丸穴４１が形成され、この丸穴４１の中央部分に、前記取り付けボルト３ａ，３ｂを螺着可能なナット４２が埋設されている。架設部材４は、所定間隔あけて配置した支持脚２ａ，２ｂの間に架け渡され、取り付けボルト３ａ，３ｂによって支持脚２ａ，２ｂに回動可能に連結されている。
【００１３】
そして、本実施形態の構成においては、本発明にかかる高さ調整手段が、支持脚２ａ，２ｂの脚部２２に長さ方向に所定間隔あけて穿設された複数の取り付け孔２４，２４，２４・・と、支持脚２ａ，２ｂ間に架設部材４を取り付ける取り付けボルト３ａ，３ｂとで構成されている。
【００１４】
ここで、本発明にかかる方向調整手段は、傾斜方向を調整する方向調整手段と、左右方向を調整する方向調整手段とからなる。そして、前者の傾斜方向を調整する方向調整手段は、取り付けボルト３ａ，３ｂと、架設部材４の両端部に埋設されたナット４１と、支持脚２ａ，２ｂの脚部２２に穿設された複数の貫通孔２４，２４，２４・・とで構成されている。また、後者の左右方向を調整する方向調整手段は、哺乳瓶ホルダ５ａに穿設された木ネジ挿通孔５１と、哺乳瓶ホルダ５ａを架設部材４に取り付ける木ネジ７３と、木ネジ７３に装着されるワッシャ７１、スプリングワッシャ７２とで構成されている。
【００１５】
また、哺乳瓶ホルダ５ａは、ＰＥＴ樹脂などの強度のある透明の合成樹脂材料で、図４，図５に示すように、内径約８０ｍｍ、長さ約１６０ｍｍ、厚さ約１ｍｍの断面略六角形状の角筒に形成されたホルダ本体５０と、ホルダ本体５０内に挿通された哺乳瓶を所定の取り付け位置に係止する哺乳瓶係止部６とで構成されている。哺乳瓶係止部６は、ホルダ本体５０内に設けられており、ウレタンフォームなどの弾性材料で環状に形成された複数の哺乳瓶係止部材６１から構成されている。ホルダ本体５０の長さ方向略中央部には、ホルダ本体５０の内部に連通する木ネジ挿通孔５１，工具挿通孔５２が穿設されている。また、複数の哺乳瓶係止部材６１は、哺乳瓶ホルダ５ａの長さ方向に所定間隔あけて、ホルダ本体５０の内壁面に固着されており、哺乳瓶係止部材６１の内径は、哺乳瓶の外径よりも小径に形成されている。そして、隣り合う哺乳瓶係止部材６１間には、ホルダ内部を視認可能な窓部Ｗが形成されている。
【００１６】
上記構成の哺乳瓶ホルダ５ａは、木ネジ挿通孔５１にワッシャ７１およびスプリングワッシャ７２を介して木ネジ７３を取り付けた後、工具挿通孔５２にドライバー等の工具を挿通させて木ネジ７３を締め込むことにより、図１，図２に示すように、架設部材４の一面における長さ方向略中央部に固定されている。
【００１７】
本実施形態の哺乳瓶保持装置１の使用方法としては、まず、哺乳瓶保持装置１を敷布団の上に設置して、敷布団に仰向けに寝かせた乳児の身体の高さに合わせて、架設部材４の高さを調整する。具体的には、取り付けボルト３ａ，３ｂを架設部材４から取り外して、支持脚２ａ，２ｂから架設部材４を取り外し、所望の高さ位置に架設部材４を配置して、支持脚２ａ，２ｂの取り付け孔２４に取り付けボルト３ａ，３ｂを再度挿入するとともに架設部材４のナット４２に螺着し、取り付けボルト３ａ，３ｂを締め込み、架設部材４の長さ方向両端部の端面と、取り付けボルト３ａ，３ｂのつまみ部３１の裏面とで支持脚２ａ，２ｂを挟み込んで、架設部材４を支持脚２ａ，２ｂに固定する。
【００１８】
次に、架設部材４が乳児の胸元付近に対向配置されるように、乳児の身体の両側に左右の支持脚２ａ，２ｂを配置する。そして、哺乳瓶ｆを哺乳瓶ホルダ５ａの筒内部に挿入し、哺乳瓶ｆを哺乳瓶ホルダ５ａに係止させる。このとき、哺乳瓶ｆの乳首部分が哺乳瓶ホルダ５ａの開口部から現れるまで挿入することが必要である。
【００１９】
最後に、取り付けボルト３ａ，３ｂを緩めて、哺乳瓶ｆの乳首部分を乳児の口に含ませることが可能な傾斜角度となるように、架設部材４を手で回動する。そして、哺乳瓶ホルダ５ａの所望の傾斜角度に調整した後、取り付けボルト３ａ，３ｂを再度締め込み、架設部材４の長さ方向両端部の端面と、取り付けボルト３ａ，３ｂのつまみ部３１の裏面とで支持脚２ａ，２ｂを挟み込んで、架設部材４を支持脚２ａ，２ｂに固定する。
【００２０】
以上詳述したように、本実施形態にかかる哺乳瓶保持装置１は、左右一対の支持脚２ａ，２ｂを有し、この支持脚２ａ，２ｂの間に哺乳瓶ホルダ５ａが取り付けられた架設部材４が架設されているので、左右一対の支持脚によって架設部材がバランスよく支持され、哺乳瓶保持装置１を安定して設置できる。また、支持脚２ａ，２ｂを乳児の身体の両側に配置して、架設部材４を乳児の身体の上方に架け渡すことができるので、架設部材のほぼ中央部に取り付けられた哺乳瓶ホルダを乳児の正面に配置することができ、乳児の口元に正面から乳首を含ませることができる。したがって、乳児は自然な体勢でお乳を飲むことができる。
【００２１】
また、哺乳瓶ホルダ５ａの高さを調整する高さ調整手段が、支持脚２ａ，２ｂの脚部２２に長さ方向に所定間隔あけて穿設された複数の取り付け孔２４，２４，２４・・と、支持脚２ａ，２ｂ間に架設部材４を取り付ける取り付けボルト３ａ，３ｂとで構成されているので、取り付けボルト３ａ，３ｂを所望の高さ位置に穿設されている取り付け孔２４に取り付けることによって、架設部材４を床面から所望の高さに配置することができる。また、簡単な構造であるので、製造が容易である上、故障や破損しにくい。
【００２２】
また、哺乳瓶ホルダ５ａの傾斜方向を調整する方向調整手段が、取り付けボルト３ａ，３ｂと、架設部材４の両端部に埋設されたナット４１と、支持脚２ａ，２ｂの脚部２２に穿設された複数の取り付け孔２４，２４，２４・・とで構成されているので、取り付けボルト３ａ，３ｂの締め込み具合によって、支持脚２ａ，２ｂに取り付けボルト３ａ，３ｂと架設部材４とを一体に固定することも、支持脚２ａ，２ｂに対して回動可能とすることもできる。つまり、取り付けボルト３ａ，３ｂの締め込みを緩めるだけで、架設部材４を容易に回動させることができ、架設部材４に一体に取り付けられた哺乳瓶ホルダ５ａの傾斜方向を調整することができる。
【００２３】
さらに、哺乳瓶ホルダ５ａの左右方向を調整する方向調整手段として、哺乳瓶ホルダ５ａに穿設された木ネジ挿通孔５１と、哺乳瓶ホルダ５ａを架設部材４に取り付ける木ネジ７３と、木ネジ７３に装着されるワッシャ７１、スプリングワッシャ７２とで構成されているので、木ネジ７３の架設部材４への締め込みを緩めるだけで、哺乳瓶ホルダ５ａを左右方向に回動させて、所望の向きに容易に調整することができる。
【００２４】
このように、哺乳瓶保持装置１に哺乳瓶ホルダ５ａの高さを調整する高さ調整手段と哺乳瓶ホルダ５ａの方向を調整する方向調整手段とを設けたので、哺乳瓶ホルダ５ａを所望の位置および方向に確実に配置することができる。
【００２５】
また、哺乳瓶ホルダ５ａのホルダ本体５０が断面略六角形状の角筒で、ホルダ本体５０の内部に弾性材料で形成された哺乳瓶係止部６が設けられ、哺乳瓶係止部６を構成する哺乳瓶係止部材６１の内径が、挿通される哺乳瓶の外径よりも小さく形成されているので、哺乳瓶ホルダ５ａの両端開口部から哺乳瓶を哺乳瓶ホルダ５ａ内に挿通すると、哺乳瓶係止部６が弾性変形して、哺乳瓶ｆの外周面に圧接する。したがって、哺乳瓶ｆを哺乳瓶ホルダ５ａ内の所定の取り付け位置に容易かつ確実に取り付けることができる。また、外径や形状が多少異なる哺乳瓶であっても取り付けることができ、汎用性に優れる。
【００２６】
また、ホルダ本体５０が透明で、哺乳瓶係止部材６１が、ホルダ本体５０の長さ方向に所定間隔あけて設けられているため、隣り合う哺乳瓶係止部材６１間には、哺乳瓶ホルダ５ａの内部を視認可能な窓部Ｗが形成され、外部から哺乳瓶ホルダ５ａの内部を視認することができる。したがって、哺乳瓶ホルダ５ａに哺乳瓶ｆを保持させたまま、哺乳瓶ｆ内のミルクの量を一目で確認できるので、乳児の飲み具合や、飲み終えたかどうかを正確に確認できる。
【００２７】
なお、高さ調整手段および方向調整手段は、上記構成に限られない。したがって、高さ調整手段としては、例えば、支持脚２ａ，２ｂの脚部２２にスライドレールを設けるとともに、架設部材４の長手方向両端部にスライド係止具を設けて、架設部材４を高さ方向にスライドさせて高さ調整するものであってもよい。また、方向調整手段としては、例えば、哺乳瓶ホルダ５ａを架設部材４にユニバーサルジョイントを介して取り付けて、任意の方向に方向調整するものであってもよい。また、架設部材４を長さ方向に伸縮可能に構成して、支持脚２ａ，２ｂの設置幅を変更可能としてもよい。さらに、支持脚２ａ，２ｂと架設部材４とは、木製に限られず、他の材質であってもよく、例えば、合成樹脂製であってもよい。
【００２８】
また、哺乳瓶係止部６は、上記実施の形態に限られず、例えば、ウレタンフォームなどからなる弾性材料を螺旋状に形成したものであってもよいし、一部に不連続部または窓部を備えた筒状に形成したものであってもよい。また、哺乳瓶係止部６は、弾性材料で形成されていればよいので、例えば、複数の板バネをホルダ本体５０の内部に配置した構成であってもよい。また、窓部Ｗの構成は、上記実施の形態に限られず、哺乳瓶ホルダ５ａの内部を視認可能であればよい。したがって、ホルダ本体５０は半透明であっても構わない。また、ホルダ本体５０が不透明であっても、ホルダ本体５０の一部に、ホルダ本体５０の内部に連通する窓部が形成されていれば構わない。さらに、ホルダ本体５０の形状は、断面略六角形状でなくてもよく、例えば略円筒状であってもよい。
【００２９】
なお、本実施形態の哺乳瓶保持装置１は、本発明の一実施形態であって、上記構成に限定されるものではない。哺乳瓶ホルダの他の実施形態としては、例えば、図６に示すように、哺乳瓶の一部を受け止める哺乳瓶受け台５３と、哺乳瓶の周囲に装着される帯状の輪ゴム５４とで構成された哺乳瓶ホルダ５ｂであってもよい。この哺乳瓶ホルダ５ｂは、哺乳瓶受け台５３が、上面が凹状の湾曲面に形成された木製の本体部５３０と、本体部５３０の上面に貼着される合成樹脂製のすべり止め部５３１とで構成されており、本体部５３０が、架設部材４の一面における長さ方向略中央部に固定される。
【００３０】
そして、上記の哺乳瓶ホルダ５ｂを使用するときは、哺乳瓶ｆを哺乳瓶受け台５３の上面に設置して、哺乳瓶ｆと哺乳瓶受け台５３との双方に輪ゴム５４を巻回して、哺乳瓶受け台５３に哺乳瓶ｆを一体に取り付ける。この哺乳瓶ホルダ５ｂによれば、前記哺乳瓶ホルダ５ａに取り付けることのできない形状の哺乳瓶であっても、哺乳瓶受け台５３に取り付けることができ、汎用性に優れる。なお、前記哺乳瓶ホルダ５ａと上記哺乳瓶ホルダ５ｂの双方を架設部材４に取り付けてもよい。
【００３１】
また、本発明の哺乳瓶保持装置は、本実施形態のように、支持脚２ａ，２ｂを床に設置して使用するものに限られず、ベビーベッドの柵に取り付けて使用するものであってもよい。この場合は、例えば、支持脚を板状に形成し、クリップ等の掛止部材でベビーベッドの柵に沿って取り付ければよい。
【図面の簡単な説明】
【００３２】
【図１】本発明に係る一実施形態の哺乳瓶保持装置１の外観斜視図である。
【図２】図１に示す哺乳瓶保持装置１における架設部材４と哺乳瓶ホルダ５ａとの連結部分の断面図である。
【図３】図１に示す哺乳瓶保持装置１における支持脚２と架設部材４との連結部分の分解斜視図である。
【図４】哺乳瓶ホルダ５ａの正面図である。
【図５】図３に示す哺乳瓶ホルダ５ａの平面図である。
【図６】哺乳瓶ホルダ５ｂを示す斜視図である。
【符号の説明】
【００３３】
１    哺乳瓶保持装置
２ａ  支持脚
２ｂ  支持脚
２４  取り付け孔（高さ調整手段，方向調整手段）
３ａ  取り付けボルト（高さ調整手段，方向調整手段）
３ｂ  取り付けボルト（高さ調整手段，方向調整手段）
４    架設部材
４１  ナット（方向調整手段）
５ａ  哺乳瓶ホルダ
５ｂ  哺乳瓶ホルダ
５１  木ネジ挿通孔（方向調整手段）
５２  工具挿通孔
６    哺乳瓶係止部
７１  ワッシャ（方向調整手段）
７２  スプリングワッシャ（方向調整手段）
Ｗ    窓部
【図１】
2006271776.tif 000003
【図２】
2006271776.tif 000004
【図３】
2006271776.tif 000005
【図４】
2006271776.tif 000006
【図５】
2006271776.tif 000007
【図６】
2006271776.tif 000008